(57)【特許請求の範囲】
【請求項１】
ボイラに運転を自動制御するコントローラとボイラの運転状態を検出するための各種センサーを備え、ボイラ各部の状態の情報をコントローラへ集めてコントローラによりボイラの運転状態を定め、コントローラから出力される制御信号によってボイラの運転を制御している自動制御ボイラを複数台設置し、複数台のボイラにおける各コントローラと通信線にて接続したボイラ監視装置を設け、ボイラ監視装置には異常判断プログラムとボイラ運転状態のデータベースを設けておき、各コントローラは集めたボイラ各部の状態の情報をボイラ監視装置へ送り、ボイラ監視装置は各コントローラから送られてきたボイラの運転状態の情報を、データベースの情報と比較することと、個々のボイラの運転状態の情報を別のボイラと比較することで、各ボイラにおける異常発生の有無と異常の内容を判断し、異常発生時には異常内容等を出力することを特徴とする集中的に異常を判断するボイラ監視装置。
【請求項２】
ボイラに運転を自動制御するコントローラとボイラの運転状態を検出するための各種センサーを備え、ボイラ各部の状態の情報をコントローラへ集めてコントローラによりボイラの運転状態を定め、コントローラから出力される制御信号によってボイラの運転を制御している自動制御ボイラを複数台設置し、複数台のボイラにおける各コントローラと通信線にて接続したボイラ監視装置を設け、ボイラ監視装置には異常判断プログラムとボイラ運転状態のデータベースを設けておき、各コントローラは集めたボイラ各部の状態の情報をボイラ監視装置へ送り、ボイラ監視装置で異常発生の有無を判断するものにおいて、ボイラ監視装置はボイラから遠く離れた拠点に設け、監視するボイラもそれぞれのユーザに分散して設けたものであり、各ボイラとボイラ監視装置は公衆回線網を介して接続しておき、異常の種類が経過を観察する必要のある故障の兆候であった場合、ボイラ監視装置は該ボイラの情報を取り込む周期を短くし、収集したより詳細なボイラの運転状態の情報とデータベースの情報を比較することによって正確かつ詳細に異常の発生を判断することを特徴とする集中的に異常を判断するボイラ監視装置。
【発明の詳細な説明】
【０００１】
【産業上の利用分野】
本発明は集中的に異常を判断するボイラ監視装置に関するものである。
【０００２】
【従来の技術】
ボイラに運転を自動制御するコントローラとボイラの運転状態を検出するセンサーを設けておき、ボイラの運転を自動制御することが行われている。自動運転を行っているボイラでは、センサーにて捉えられたボイラ各部の状態の情報をコントローラへ送り、コントローラは設定されている条件に応じてボイラの運転状態を定め、定めた運転状態の制御信号をコントローラよりボイラ各部の補機類へ送ることでボイラの運転を制御する。コントローラには異常と判断するための条件を定めておき、コントローラに送られるボイラ各部の状態の情報が異常の条件に該当する場合には異常が発生したとの出力を行って点検を促し、必要であればボイラの運転を停止する。
【０００３】
ボイラのコントローラにはマイコンが使われているが、能力はパソコン等に比べて低いものであり、本来ボイラの運転制御を行うものであるため、異常判断の機能に割り当てることのできる能力には制限があった。そのためコントローラでは高度な判断を行うことはできず、コントローラは単純な条件判断によって異常の出力を行うのみであるため、正確な原因を特定できずに実際の原因とは異なる箇所を異常と判断することがあった。また、コントローラは制御しているボイラとコントローラの１対１で異常を検出するものであるため、他のボイラと比較することは行えなかった。
【０００４】
【発明が解決しようとする課題】
本発明が解決しようとする課題は、ボイラの異常を正確に検知することができるようにすることにある。
【０００５】
【課題を解決するための手段】
ボイラに運転を自動制御するコントローラとボイラの運転状態を検出するための各種センサーを備え、ボイラ各部の状態の情報をコントローラへ集めてコントローラによりボイラの運転状態を定め、コントローラから出力される制御信号によってボイラの運転を制御している自動制御ボイラを複数台設置し、複数台のボイラにおける各コントローラと通信線にて接続したボイラ監視装置を設け、ボイラ監視装置には異常判断プログラムとボイラ運転状態のデータベースを設けておき、各コントローラは集めたボイラ各部の状態の情報をボイラ監視装置へ送り、ボイラ監視装置は各コントローラから送られてきたボイラの運転状態の情報とデータベースの情報との比較により、各ボイラにおける異常発生の有無を判断する。
【０００６】
【発明の実施の形態】
本発明の一実施例を図面を用いて説明する。図１は一実施例におけるボイラとボイラ監視装置の構成図、図２と図３はボイラとボイラ監視装置の接続例を示した説明図である。まず図１に基づいて説明する。ボイラ２には、火炎検出器３、水位検出器４などボイラの状態を検出するセンサー類や、送風機６、給水ポンプ８などボイラを運転するための補機類、センサー類と補機類に接続されておりボイラの運転を制御するコントローラ５が設けられている。コントローラ５には通信線７が接続されており、通信線７の他端にはボイラ監視装置１を設けておく。通信線７はケーブルによってコントローラ５とボイラ監視装置１を直接接続するものであっても、通信装置と公衆回線網を通じて接続するものであってもよい。ボイラ監視装置１はコントローラ５よりも能力の高いパソコンやワークステーションが使用され、ボイラ監視装置１には異常判断のためのプログラムと、異常を判断するための情報を記憶させているボイラ運転状態のデータベースを設けておき、ボイラ監視装置１側で異常の有無を判断し、異常発生時には異常内容等を出力できるようにしておく。
【０００７】
ボイラ２の運転はコントローラ５によって自動的に運転が行われる。各センサーで検出された情報はコントローラ５へ送られ、コントローラ５は各センサーから受けた情報と設定されているシーケンスに従って必要な補機の作動や停止を行い、ボイラの運転を制御する。
【０００８】
コントローラ５へ送られたボイラの運転状態に関する情報は通信線７を通じてボイラ監視装置１へも送っており、ボイラ監視装置１ではコントローラ５から受け取った情報と、ボイラ運転状態のデータベースに記憶しておいた情報を比較し、異常の有無を判断する。ボイラ監視装置１はコントローラ５よりも能力が高いものを使用し、データベースのデータ量もコントローラ５に設けていた場合に比べて大幅に増やすことができるため、従来のコントローラ５によって異常を判断していた場合に比べてより正確で詳細な判断を行うことができ、豊富なデータと比較することで異常を発生する前に異常を予知することも可能となる。異常の判断をボイラ監視装置１にて行うこととしたため、コントローラ５はボイラの運転制御に集中させることができ、運転をより最適なものとするために制御を複雑にすることもできる。
【０００９】
ボイラ監視装置１は通常の場合、複数台のボイラと接続し、各ボイラの異常を集中的に監視する。ボイラの設置状態は、図２に記載のように一つの工場等にまとめて複数台設置しておき、該ボイラのユーザで１台のボイラ監視装置１を設置するパターンや、図３に記載のように複数のユーザに分散して設けられているボイラを通信装置と公衆回線網を通じて拠点に設けたボイラ監視装置１に接続するパターンがある。
【００１０】
ボイラ監視装置１は複数台のボイラからそれぞれの運転状態に関する情報を取り込んでおり、取り込んだ情報とデータベースの情報を比較することで異常の判断を行うものであるが、監視しているボイラの個々の運転状態の情報も比較し、全体的な傾向からも異常の判断を行う。全体の傾向より異常を判断する例を説明する。火炎検出器３は火炎の光の強さを電気信号に変換しているものであり、光の有無によって火炎の有無を判断するためのものである。火炎検出器３は劣化や煤の付着が発生すると光を検出できなくなるため、検出された光の強さの値が光は検出しているが光の強さは一定以下という所定のレベルになると通常は火炎検出器の異常が出力される。ところが、その時に燃焼していた同じ工場における他のボイラにおいても同時に同じ現象が発生した場合、ボイラ監視装置１は異常の内容が火炎検出器にあるのではなく、その工場へ供給されていたガス圧の変動等によって火炎が衰えたものであり火炎自体の原因によるものである等の判断を行うことができる。
【００１１】
その他にも全体的な傾向より異常の判断を行うことで、特定の機種や時期に特有の現象など個別に監視していた場合には判別できない異常も判別することができる。
【００１２】
ボイラ監視装置１は運転状態の情報の取り込みは連続的に行うものであっても定期的に行うものであっても良いが、定期的に取り込むように設定しておいた場合、検出された異常が故障の兆候など経過を観察する必要のあるものであった時には、ボイラ運転状態の情報を取り込む周期を短くすることでより詳細な情報を得て、異常検出が一時的なものであるのか、異常の度合いが進行しているか等を調べ、正確かつ詳細に異常の発生を判断する。
【００１３】
【発明の効果】
本発明を実施することで、ボイラの異常原因を正確に判断することができるようになる。
【図面の簡単な説明】
【図１】本発明の一実施例におけるボイラとボイラ監視装置の構成図
【図２】本発明におけるボイラとボイラ監視装置の接続例を示した説明図
【図３】本発明におけるボイラとボイラ監視装置の他の接続例を示した説明図
【符号の説明】
１  ボイラ監視装置
２  ボイラ
３  火炎検出器
４  水位検出器
５  コントローラ
６  送風機
７  通信線
８  給水ポンプ
【図１】
0003604279.tif 000002
【図２】
0003604279.tif 000003
【図３】
0003604279.tif 000004